(57)【要約】【課題】太陽電池モジュールによる発電を降雪があっても可能にして、発電効率を向上させ、費用対効果を高くすることのできる太陽電池モジュールの取付け構造を提供すること。【構成】複数の太陽電池モジュール２、２と、これらの太陽電池モジュール２、２の各表面を同一方向に向けて並列に支承する支承手段１とを有し、前記支承手段１は、前記太陽電池モジュール２、２の表面を上向きにして支承する上向き支承状態と、前記太陽電池モジュール２、２の表面を側面向きにして支承する側面向き支承状態とを移動自在に支承するように形成されていることを特徴とする。【選択図】  図１
2013175669.tif 000002
【特許請求の範囲】
【請求項１】
複数の太陽電池モジュールと、
これらの太陽電池モジュールの各表面を同一方向に向けて並列に支承する支承手段とを有し、
前記支承手段は、前記太陽電池モジュールの表面を上向きにして支承する上向き支承状態と、前記太陽電池モジュールの表面を側面向きにして支承する側面向き支承状態とを移動自在に支承するように形成されている
ことを特徴とする太陽電池モジュールの取付け構造。
【請求項２】
前記太陽電池モジュールが建造物の上部領域と側面領域との間を移動自在に設置されていることを特徴とする請求項１に記載の太陽電池モジュールの取付け構造。
【請求項３】
前記建造物は降雪地域に設置されていることを特徴とする請求項２に記載の太陽電池モジュールの取付け構造。
【発明の詳細な説明】
【技術分野】
【０００１】
本発明は、太陽電池モジュールの取付け構造に係り、特に、降雪地域に好適な太陽電池モジュールの取付け構造に関する。
【背景技術】
【０００２】
近年、太陽光エネルギーはＣＯ２の排出を抑制する次世代のクリーンなエネルギーとして注目されており、一般住宅（集合住宅を含む）においても、例えば特許文献１や特許文献２に示すような、太陽光エネルギーを直接電気エネルギーに変換するための装置（以下、太陽電池モジュール）を設置した軒数が年々増加する傾向にある。
【先行技術文献】
【特許文献】
【０００３】
【特許文献１】特開平８−３２１６３０号公報
【特許文献２】特開２００１−３３２７５２号公報
【発明の概要】
【発明が解決しようとする課題】
【０００４】
一般家屋における太陽電池モジュールは、発電効率を向上するために屋根の上若しくは屋上に配置されている。
【０００５】
しかしながら、降雪地域においては、冬期には太陽電池モジュールの表面が積雪によって覆われてしまい発電することが不可能であった。また、積雪から太陽電池モジュールを守るために、冬期を迎える前に太陽電池モジュールを特殊な剛性の高いカバーによって覆う必要があった。
【０００６】
従って、降雪地域における太陽電池モジュールを設置することに関する費用対効果が悪いという不都合があった。
【０００７】
本発明は、これらの問題に鑑みてなされたものであり、太陽電池モジュールによる発電を降雪があっても可能にして、発電効率を向上させ、費用対効果を高くすることのできる太陽電池モジュールの取付け構造を提供することを目的とする。
【課題を解決するための手段】
【０００８】
前記課題を解決するために、本発明の第１の態様の太陽電池モジュールの取付け構造は、複数の太陽電池モジュールと、これらの太陽電池モジュールの各表面を同一方向に向けて並列に支承する支承手段とを有し、前記支承手段は、前記太陽電池モジュールの表面を上向きにして支承する上向き支承状態と、前記太陽電池モジュールの表面を側面向きにして支承する側面向き支承状態とを移動自在に支承するように形成されていることを特徴とする。
【０００９】
このような構成の本発明によれば、太陽電池モジュールの表面を上向きにして支承する上向き支承状態において、日中に正常に発電することができる。また、太陽電池モジュールの表面を側面向きにして支承する側面向き支承状態において、例えば降雪による太陽電池モジュールの表面に対する積雪を防止することができ、更に地表等に積雪した積雪面で反射した太陽光を受けて発電することができる。本発明においては、複数の太陽電池モジュールは、複数個を並列方向に連続形成してあたかも１個の太陽電池モジュールとして形成したものや可撓性を備えた１枚のシート状に形成したものを含むものである。
【００１０】
また、本発明の第２の態様の太陽電池モジュールの取付け構造は、第１の態様において、太陽電池モジュールが建造物の上部領域と側面領域との間を移動自在に設置されていることを特徴とする。
【００１１】
このような構成の本発明によれば、建造物に設置された太陽電池モジュールによって春夏秋冬の全季節において太陽電池モジュールを建造物の上部領域と側面領域との適正な位置に設置して発電することができる。
【００１２】
また、本発明の第３の態様の太陽電池モジュールの取付け構造は、第２の態様において、建造物は降雪地域に設置されていることを特徴とする。
【００１３】
このような構成の本発明によれば、降雪地域に設置された太陽電池モジュールによっても春夏秋冬の全季節において太陽電池モジュールを建造物の上部領域と側面領域との適正な位置に設置して発電することができる。
【発明の効果】
【００１４】
本発明によれば、太陽電池モジュールによる発電を降雪があっても可能にして、発電効率を向上させ、費用対効果を高くすることのできるという優れた作用効果を発揮することができる。
【図面の簡単な説明】
【００１５】
【図１】本発明の第１実施形態において、家屋に太陽電池モジュールを設置した例を示す斜視説明図
【図２】本発明の第１実施形態の、図１における矢視断面図に相当する要部説明断面図
【図３】本発明の第２実施形態の、図１に対応する斜視説明図
【発明を実施するための形態】
【００１６】
以下、本発明の実施形態を図面により説明する。
【００１７】
図１および図２は本発明の第１実施形態を示す。
【００１８】
本実施形態は、家屋Ｈの屋根Ｒおよび側壁Ｗに沿って太陽電池モジュールを配設する取付け構造である。
【００１９】
本実施形態においては、建造物の１種である家屋Ｈの上部領域となる屋根Ｒおよび側面領域となる側壁Ｗに沿って２本の平行な支承レール１、１を配設し、両支承レール１、１間に複数（本実施形態においては４個）の太陽電池モジュール２、２を掛け渡して支承している。これらの支承レール１、１は太陽電池モジュール２を支承する支承手段である。各太陽電池モジュール２、２は、図２に示すように、両端部より突設された支承用ベアリング３を、支承レール１、１の内側向きに開いている支承溝１ａ、１ａ内に挿入して各表面を同一方向の太陽方向に向けて並列に支承されているとともに、支承レール１、１の長手方向に移動自在に支承されている。これにより支承手段としての支承レール１、１は、４個の太陽電池モジュール２、２の表面を屋根Ｒの部分において上向きにして支承する上向き支承状態と、太陽電池モジュール２、２の表面を側壁Ｗの部分において側面向きにして支承する側面向き支承状態とを移動自在に支承することとなる。各太陽電池モジュール２は公知の構成とし、例えば、太陽の光エネルギーを直接電気エネルギーに変換する、シリコンでできた１０ｃｍから１５ｃｍ角の最小単位である太陽電池セルを数十枚、耐風、耐候性のある薄い長方形の容器に収め、直列に電気的に接続して所要の電圧（発電量）を得るように構成されているものを例示することができる。その他、色素増感太陽電池にも適用できる。また、太陽電池モジュール２、２を支承レール１、１の所定位置に固定するための公知の固定手段（図示せず）を配設して、太陽電池モジュール２、２を強固に固定支持させるようにするとよい。また、各太陽電池モジュール２に対する電気系統の配線等については、上向き支承状態と側面向き支承状態とのそれぞれの位置において別個に配設しておくと、太陽電池モジュール２の移動の前後における接続作業が容易になるので好ましい。
【００２０】
次に、本実施形態の作用を説明する。
【００２１】
まず、降雪期間以外においては、図１の実線に示すように、太陽電池モジュール２、２の表面を屋根Ｒ部分において上向きにして支承する上向き支承状態に固定する。この上向き支承状態おいては、太陽電池モジュール２、２は日中に太陽光を受けて正常に発電することができる。
【００２２】
降雪期間においては、太陽電池モジュール２、２を上向き支承状態から支承レール１、１を利用して図１の鎖線に示すように側壁Ｗ部分に移動させて表面を側面向きにして支承する側面向き支承状態に固定させる。この側面向き支承状態おいては、降雪による太陽電池モジュールの表面に対する積雪を防止することができる。更に、地表等に積雪した積雪面で反射した太陽光を受けて発電することができる。
【００２３】
このように本実施形態によれば、建造物に設置された太陽電池モジュール２、２によって春夏秋冬の全季節において太陽電池モジュール２、２を建造物の上部領域と側面領域との適正な位置に設置して発電することができ、発電効率を大きく向上させて、費用対効果も高くすることができる。更に、このようにして太陽電池モジュール２を積雪箇所から退避させることにより、モジュール表面に対する積雪によって付加される長期に亘る重量負荷に伴う劣化を確実に防止することができる。
【００２４】
図３は本発明の第２実施形態を示している。
【００２５】
本実施形態においては、建造物の他の例として温室用のビニールハウスＢに実施例１と同様に一対の支承用レール１、１および複数の太陽電池モジュール２、２を設置したものである。
【００２６】
本実施形態においても第１実施形態と同様に、ビニールハウスＢに設置された太陽電池モジュール２、２によって春夏秋冬の全季節において太陽電池モジュール２、２をビニールハウスＢの上部領域と側面領域との適正な位置に設置して発電することができ、発電効率を大きく向上させて、費用対効果も高くすることができる。
【００２７】
なお、本発明は前記実施の形態のみに限定されるものではなく、必要に応じて変更することができる。
【００２８】
例えば、支承手段としては実施形態に記載した一対の支承レール１、１に代えて、１本の支承レールとしたり、３本以上の支承レールとすることもできる。
【００２９】
また、本発明は、降雪地域を航行する船舶に設置されている建造物に対しても前記各実施形態と同様にして適用することができる。
【符号の説明】
【００３０】
１  支承レール
１ａ  支承溝
２  太陽電池モジュール面
３  支承用ベアリング
Ｂ  ビニールハウス
Ｈ  家屋
Ｒ  屋根
Ｗ  側壁
【図１】
2013175669.tif 000003
【図２】
2013175669.tif 000004
【図３】
2013175669.tif 000005